(57)【要約】      （修正有）【課題】釣合い錘の枠体の縦枠のサイズを小さくすること。【解決手段】複数のウエイト８５０を備え、昇降路内を上下動するエレベータ用釣合い錘８００であって、ウエイト８５０を取り付けるための錘枠が、錘枠の上方に配置される上枠８１０と、錘枠の下方に配置される下枠８２０と、上枠８１０と下枠８２０を接続する第１縦枠８３０及び第２縦枠８４０と、第１縦枠８３０及び第２縦枠８４０を縦方向に３以上に分割する場合の各々の分割位置に取り付けられる、水平方向に加わる力を分散させるためのストッパー８９０と、を含むエレベータ用釣合い錘８００。【選択図】図３
2019131320.tif 000002
【特許請求の範囲】
【請求項１】
複数のウエイトを備え、昇降路内を上下動するエレベータ用釣合い錘であって、
前記ウエイトを取り付けるための錘枠が、
錘枠の上方に配置される上枠と、
錘枠の下方に配置される下枠と、
前記上枠と前記下枠を接続する第１縦枠及び第２縦枠と、
前記第１縦枠及び前記第２縦枠を縦方向に３以上に分割する場合の各々の分割位置に取り付けられる、水平方向に加わる力を分散させるためのストッパーと、を含むエレベータ用釣合い錘。
【請求項２】
前記第１縦枠及び前記第２縦枠を、縦方向に均等に３以上に分割する場合の各々の分割位置に、前記ストッパーが取り付けられる請求項１記載のエレベータ用釣合い錘。
【請求項３】
前記第１縦枠及び前記第２縦枠を、釣合い錘の縦方向の重心位置を基準として３以上に分割する場合の各々の分割位置に、前記ストッパーが取り付けられる請求項１記載のエレベータ用釣合い錘。
【請求項４】
請求項１乃至３記載のエレベータ用釣合い錘を備えるエレベータ。
【発明の詳細な説明】
【技術分野】
【０００１】
本発明は、エレベータ用釣合い錘及びそれを備えるエレベータに関する。
【背景技術】
【０００２】
近年、エレベータに対して、地震等の災害時に破損し難い構造が求められているが、従来、地震が発生した場合、ガイドレールから錘枠が脱落し、釣合い錘が破損する場合があった。
【０００３】
この原因の一つは、釣合い錘が地震の横揺れ（地震力）によって錘枠が変形するということである。
【０００４】
そのため、釣合い錘の錘枠は、地震の場合も考慮した太い鋼材が用いられている。
【０００５】
一般的に、釣合い錘には、上下の水平端に、ガイド装置が設けられている。そして、地震の横揺れ等の際に、錘枠からガイドレールに対して加わる地震力を分散させるために、釣合い錘の上下に設けられたガイド装置とガイド装置の間にストッパーが設けられている。
【０００６】
そして、地震力の分散をより効果的にするため、ストッパーは、釣合い錘のブロック（ウエイト）の中心高さ位置と、上下に設けられたガイド装置の垂直方向の中間位置の範囲内に設けられる。
【０００７】
特許文献１では、エレベータの釣合い錘の枠体の上下方向にストッパーが設けられることが開示されている。
【０００８】
具体的には、釣合い錘の縦枠に、おもりブロック（ウエイト）の増加本数に対応して、ストッパーの位置を調節できるように、複数のストッパー取付穴が設けられる旨が記載されている。
【先行技術文献】
【特許文献】
【０００９】
【特許文献１】特開２００１−１９３１８号公報
【発明の概要】
【発明が解決しようとする課題】
【００１０】
しかしながら、地震が生じた場合、横揺れの地震力は分散されるものの、地震の横揺れで発生した釣合い錘の慣性力によって、錘枠の上下端に設けられるガイド装置及び中央部に設けられるストッパー部分に負担がかかり、錘枠の縦枠が変形してしまう。
【００１１】
そして、縦枠を変形させないために、縦枠のサイズは、所定の震度でも変形しないような大きなサイズにする必要があった。
【００１２】
本発明の目的は、釣合い錘の枠体の縦枠のサイズを小さくすることである。
【００１３】
本発明の他の目的は、平面視での釣合い錘の専有面積を小さくすることである。
【課題を解決するための手段】
【００１４】
本発明の第１の局面に係るエレベータ用釣合い錘は、複数のウエイトを備え、昇降路内を上下動するエレベータ用釣合い錘であって、
前記ウエイトを取り付けるための錘枠が、
錘枠の上方に配置される上枠と、
錘枠の下方に配置される下枠と、
前記上枠と前記下枠を接続する第１縦枠及び第２縦枠と、
前記第１縦枠及び前記第２縦枠を縦方向に３以上に分割する場合の各々の分割位置に取り付けられる、水平方向に加わる力を分散させるためのストッパーと、を含むエレベータ用釣合い錘である。
【００１５】
このようなものであれば、釣合い錘に対して、水平方向（本実施形態ではｘ軸方向又はｙ軸方向）に加わる力（例えば地震力）が、ストッパー部分の縦枠にも分散する。
【００１６】
そして、第１縦枠及び第２縦枠を縦方向（本実施形態ではｚ軸方向）に３以上に分割する場合の各々の分割位置にストッパーが取り付けられるため、例えば、第１縦枠及び第２縦枠を縦方向に３分割する場合の各々の分割位置にストッパーが取り付けられる場合、ストッパーの個数は、第１縦枠に２箇所、第２縦枠に２箇所となる。
【００１７】
そのため、ストッパーが複数になり、水平方向に加わる力が各々のストッパー部分に分散し、各々のストッパー部分の縦枠に加わる力を小さくすることができる。
【００１８】
したがって、第１縦枠及び第２縦枠を地震時のことを考慮してスケールアップする必要がなく、結果として、第１縦枠及び第２縦枠のサイズを小さくすることができる。
【００１９】
つまり、平面視（本実施形態ではｘｙ平面視）での釣合い錘の専有面積を小さくすることができる。
【００２０】
本発明の第２の局面に係るエレベータ用釣合い錘は、第１の局面に係るエレベータ用釣合い錘であって、前記第１縦枠及び前記第２縦枠を、縦方向に均等に３以上に分割する場合の各々の分割位置に、前記ストッパーが取り付けられるエレベータ用釣合い錘である。
【００２１】
第１縦枠及び第２縦枠を縦方向に均等に３以上に分割する場合の各々の分割位置に、ストッパーが取り付けられることにより、各々のストッパーに加わる力が均等になり易い。
【００２２】
そのため、地震等により水平方向に力が加わった場合、各々のストッパーに加わる力が均等になり、１つのストッパー部分の縦枠に負担がかかることを抑えることができる。
【００２３】
したがって、第１縦枠及び第２縦枠を地震時のことを考慮してスケールアップする必要がなく、結果として、第１縦枠及び第２縦枠のサイズを小さくすることができる。
【００２４】
つまり、平面視（本実施形態ではｘｙ平面視）での釣合い錘の専有面積を小さくすることができる。
【００２５】
本発明の第３の局面に係るエレベータ用釣合い錘は、第１の局面に係るエレベータ用釣合い錘であって、前記第１縦枠及び前記第２縦枠を、釣合い錘の縦方向の重心位置を基準として３以上に分割する場合の各々の分割位置に、前記ストッパーが取り付けられるエレベータ用釣合い錘である。
【００２６】
つまり、距離が基準となるのではなく、重量を基準としてもよい。このようなものであれば、釣合い錘に対して水平方向に加わる力が、より精確に各ストッパーの位置に分散される。
【００２７】
したがって、地震等により水平方向に力が加わった場合、各々のストッパーに加わる力が均等になり、縦枠の１箇所のストッパー部分に負担がかかることが抑えられ、縦枠の変形を防ぎ易い。
【００２８】
したがって、第１縦枠及び第２縦枠を地震時のことを考慮してスケールアップする必要がなく、結果として、第１縦枠及び第２縦枠のサイズを小さくすることができる。
【００２９】
つまり、平面視（本実施形態ではｘｙ平面視）での釣合い錘の専有面積を小さくすることができる。
【００３０】
本発明の第４の局面に係るエレベータは、第１の局面、第２の局面又は第３の局面に係るエレベータ用釣合い錘を備えるエレベータである。
【００３１】
このようなものであれば、第１縦枠及び第２縦枠のサイズを小さくすることができるため、昇降路内での釣合い錘の平面視での専有面積を小さくすることができる。
【００３２】
昇降路内での釣合い錘の平面視での専有面積が小さくなれば、その分かごの平面視での専有面積を大きくしたり、その他の平面視での面積を大きくしたりすることができる。
【図面の簡単な説明】
【００３３】
【図１】本実施形態に係る一般的なエレベータの斜視図。
【図２】本実施形態に係るエレベータの側面視概略図。
【図３】本実施形態に係るエレベータの釣合い錘の側面図。
【図４】本実施形態に係るエレベータの釣合い錘のＡ−Ａ部分断面図。
【図５】本実施形態に係るエレベータの釣合い錘のＢ−Ｂ部分断面図。
【図６】本実施形態に係るエレベータの釣合い錘の側面図。
【発明を実施するための形態】
【００３４】
以下、本発明に係るエレベータ用釣合い錘８００の実施形態に関して図面を参照しながら説明する。
【００３５】
（エレベータ１００）
図１及び図２に示すように、エレベータ１００において、昇降路下部には巻上機２００が設置されている。
【００３６】
巻上機２００の駆動シーブ２１０に巻き掛けられたメインロープ２２０の一端部は、かご２３０に取り付けられている第１かごシーブ２３２及び第２かごシーブ２３３を経由して昇降路内に固定されている。
【００３７】
また、メインロープ２２０の他端部には釣合い錘８００に取り付けられている釣合い錘シーブ８６０を経由して昇降路内に固定されている。
【００３８】
巻上機２００のモータ（図示しない）によって駆動シーブ２１０が回転駆動すると、これに伴ってメインロープ２２０が走行する。そして、これに伴って第１かごシーブ２３２及び第２かごシーブ２３３が取り付けられているかご２３０が、かごガイドレール３００に案内されて昇降路内を昇降する。
【００３９】
同様に、メインロープ２２０の走行に伴って、釣合い錘シーブ８６０が取り付けられている釣合い錘８００が、釣合い錘ガイドレール２４２に案内されて昇降路内を昇降する。
【００４０】
メインロープ２２０の走行の向きは、第１シーブ２１１及び第２シーブ２１２によって変化する。
【００４１】
エレベータ１００には、かご２３０の昇降速度が所定速度を超過したことを機械的に検知する調速機４００が設けられている。調速機４００のガバナシーブ４１０とガバナシーブ４１０の下方に位置するテンションシーブ５００との間には、無端状のガバナロープ６００が巻き掛けられている。
【００４２】
ガバナロープ６００は、テンションシーブ５００によりメインロープ２２０と平行に緊張した状態で張架されている。このガバナロープ６００の一部は、かご２３０側に備えた非常止め装置２３１を作動させる非常止めレバー２５０に固定されている。
【００４３】
このため、ガバナロープ６００は、かご２３０の昇降に同期してかご２３０と同速度で走行する。このとき、ガバナロープ６００の走行速度と同速度で回転させられるガバナシーブ４１０の回転速度を調速機４００が検出することで、昇降中のかご２３０の速度超過が検知される。
【００４４】
かご２３０の昇降速度が定格速度（所定速度）の大きさを超える第１の速度になると、メインロープ２２０の巻上機２００を構成するモータ（図示しない）にブレーキがかけられる。
【００４５】
モータ（図示しない）にブレーキがかかってもかご２３０が停止しない場合、第１の速度を超える所定の第２の速度になると、ガバナシーブ４１０のトリップレバー（図示しない）による可動掴み（図示しない）の支持が解除され、可動掴みによってガバナロープ６００の走行が停止する。
【００４６】
そして、ガバナロープ６００に固定されている非常止めレバー２５０がガバナロープ６００に引っ張られる格好で、かご２３０に対して相対的に引き上げられる。その結果、非常止め装置２３１が作動し、かご２３０が停止する。
【００４７】
非常止め装置２３１が作動することによっても、かご２３０が停止しない場合、かご２３０は、下方に配置されているオイルバッファ７００である第１オイルバッファ７００ａに衝突する。第１オイルバッファ７００ａは、かご２３０の衝撃を吸収して、かご２３０を停止させる。
【００４８】
釣合い錘８００の下方にもオイルバッファ７００である第２オイルバッファ７００ｂが配置されている。第２オイルバッファ７００ｂは、釣合い錘８００が落下した場合、釣合い錘８００の落下による衝撃を吸収して、釣合い錘８００を停止させる。
【００４９】
（釣合い錘８００）
図３乃至図５に示すように、釣合い錘８００は、ｚ軸正方向側に配置されｘ軸方向に延伸する上枠８１０と、
ｚ軸負方向側に配置されｘ軸方向に延伸する下枠８２０と、
上枠８１０と下枠８２０とを接続し、ｘ軸負方向側に配置される第１縦枠８３０と、
上枠８１０と下枠８２０とを接続し、ｘ軸正方向側に配置される第２縦枠８４０と、
上枠８１０、下枠８２０、第１縦枠８３０及び第２縦枠８４０に囲まれた領域内に配置されるウエイト８５０と、
上枠８１０に取り付けられる釣合い錘シーブ８６０と、
下枠８２０に取り付けられる釣合い錘スペーサー８７０と、
第１縦枠８３０及び第２縦枠８４０の上下端に取り付けられるガイド装置８８０と、を含む。
【００５０】
上枠８１０は、釣合い錘８００の上方に配置され、第１縦枠８３０の第１上端８３１と、第２縦枠８４０の第２上端８４１とに接続される。
【００５１】
上枠８１０は、第１縦枠８３０の第１上端８３１及び第２縦枠８４０の第２上端８４１にボルトにより強固に固定されている。
【００５２】
上枠８１０のｘ軸方向略中央部には、釣合い錘シーブ８６０が回転可能に接続されている。
【００５３】
具体的には、上枠８１０は、第１上枠８１１と、第１上枠８１１よりｙ軸正方向側に配置される第２上枠８１２と、を含む。
【００５４】
第１上枠８１１と第２上枠８１２との間に、第１縦枠８３０の第１上端８３１及び第２縦枠８４０の第２上端８４１、並びに、釣合い錘シーブ８６０が挟まれる。
【００５５】
第１上枠８１１と第２上枠８１２との間には、釣合い錘シーブ８６０からメインロープ２２０が外れ難いようにするためのシーブブラケット８１３が、釣合い錘シーブ８６０のｘ軸方向の両端に取り付けられている。
【００５６】
また、第１上枠８１１及び第２上枠８１２のｘ軸方向略中央部には、釣合い錘シーブ８６０の一部を覆うシーブカバー８６２が取り付けられている。
【００５７】
下枠８２０は、釣合い錘８００の下方に配置され、第１縦枠８３０の第１下端８３２と、第２縦枠８４０の第２下端８４２とに接続される。
【００５８】
下枠８２０のｘ軸方向略中央部には、釣合い錘８００とオイルバッファ７００ｂとの間の距離を調節する釣合い錘スペーサー８７０が取り付けられている。
【００５９】
具体的には、下枠８２０は、第１下枠８２１と、
第１下枠８２１よりｙ軸正方向側に配置される第２下枠（図示しない）と、
第１下枠８２１と第２下枠（図示しない）との間に配置される底面部８２３と、を含む。
【００６０】
底面部８２３は、第１下枠８２１及び第２下枠（図示しない）の下部に配置される。底面部８２３には、釣合い錘スペーサー８７０が接続される。
【００６１】
第１縦枠８３０は、第２縦枠８４０よりｘ軸負方向側に配置され、ｚ軸正方向側に配置される第１上端８３１に上枠８１０が接続され、ｚ軸負方向側に配置される第１下端８３２に下枠８２０が接続されている。
【００６２】
第１縦枠８３０の第１上端８３１には、ガイド装置８８０である第１ガイド装置８８１が接続されている。
【００６３】
第１縦枠８３０の第１下端８３２には、ガイド装置８８０である第２ガイド装置８８２が接続されている。
【００６４】
第１縦枠８３０の第１上端８３１と第１下端８３２との間には、ストッパー８９０である第１ストッパー８９１及び第２ストッパー８９２とが接続されている。
【００６５】
第２縦枠８４０は、第１縦枠８３０よりｘ軸正方向側に配置され、ｚ軸正方向側に配置される第２上端８４１に上枠８１０が接続され、ｚ軸負方向側に配置される第２下端８４２に下枠８２０が接続されている。
【００６６】
第２縦枠８４０の第３上端８４１には、ガイド装置８８０である第３ガイド装置８８３が接続されている。
【００６７】
第２縦枠８４０の第２下端８４２には、ガイド装置８８０である第４ガイド装置８８４が接続されている。
【００６８】
第２縦枠８４０の第２上端８４１と第２下端８４２との間には、ストッパー８９０である第３ストッパー８９３及び第４ストッパー８９４とが接続されている。
【００６９】
第１縦枠８３０及び第２縦枠８４０は、ｘｙ平面視において、ｙ軸方向の両端がウエイト８５０側に突出する構造となっている（例えばＣ型鋼）。
【００７０】
このような構造により、ウエイト８５０は、第１縦枠８３０及び第２縦枠８４０により一部覆われており、外れ難くなっている。
【００７１】
上枠８１０、下枠８２０、第１縦枠８３０及び第２縦枠８４０で構成される錘枠内には、複数のウエイト８５０が設置されている。
【００７２】
ウエイト８５０の数は限定されない。本実施形態では、ウエイト８５０は、メインウエイト８５１とサブウエイト８５２とを含む。
【００７３】
メインウエイト８５１は、サブウエイト８５２に比べて厚みがあり、重量もサブウエイト８５２に比べて重い。
【００７４】
サブウエイト８５２は、メインウエイト８５１に比べて厚みが薄く、重量もメインウエイト８５１に比べて軽い。サブウエイト８５２によって全体の重量の調節がし易くなっている。
【００７５】
本実施形態では、複数のウエイト８５０は、ウエイト８５０を固定する固定部材である第１固定部材８５３及び第２固定部材８５４に押さえられ固定されている。
【００７６】
第１固定部材８５３は、第１縦枠８３０側に配置されており、第１縦枠８３０に第１ブラケット８５５によって接続されている。
【００７７】
第２固定部材８５４は、第２縦枠８４０側に配置されており、第２縦枠８４０に第２ブラケット８５６によって接続されている。
【００７８】
具体的には、第１固定部材８５３は、第１ブラケット８５５に設けられた締結手段（溶接されたナット等）に締め込まれることにより、一端がウエイト８５０に当接し、ウエイト８５０を押さえている。
【００７９】
同様に、第２固定部材８５４は、第２ブラケット８５６に設けられた締結手段（溶接されたナット等）に締め込まれることにより、一端がウエイト８５０に当接し、ウエイト８５０を押さえている。
【００８０】
釣合い錘シーブ８６０は、メインロープ２２０が走行するシーブである。メインロープ２２０が釣合い錘シーブ８６０上を走行することにより、釣合い錘８００が上下動する。
【００８１】
釣合い錘シーブ８６０は、ｘｚ平面視で円状であり、中心部には軸８６１を有する。
【００８２】
軸８６１は、第１上枠８１１及び第２上枠８１２に対して、釣合い錘シーブ８６０が回転可能に接続されている。軸８６１を中心に釣合い錘シーブ８６０は回転する。
【００８３】
釣合い錘スペーサー８７０は、下枠８２０に取り付けられている。具体的には、釣合い錘スペーサー８７０は、下枠８２０の底面部８２３に接続されている。
【００８４】
本実施形態では、釣合い錘スペーサー８７０の個数は１であるが、複数取り付けられてもよい。
【００８５】
ガイド装置８８０は、釣合い錘８００が釣合い錘ガイドレール２４２に沿って移動するためのものである。
【００８６】
第１縦枠８３０には、第１上端８３１にガイド装置８８０である第１ガイド装置８８１が、第１下端８３２にガイド装置８８０である第２ガイド装置８８２が取り付けられている。
【００８７】
第２縦枠８４０には、第２上端８４１にガイド装置８８０である第３ガイド装置８８３が、第２下端８４２にガイド装置８８０である第４ガイド装置８８４が取り付けられている。
【００８８】
ストッパー８９０は、第１ガイド装置８８１と第２ガイド装置８８２との間、及び、第３ガイド装置８８３と第４ガイド装置８８４との間に配置される。
【００８９】
ストッパー８９０は、第１縦枠８３０及び第２縦枠８４０から釣合い錘ガイドレール２４２に対してｙ軸方向に加わる力を分散させるためのものである。
【００９０】
これにより、地震等の際に、釣合い錘８００が釣合い錘ガイドレール２４２から外れ難くなる。
【００９１】
具体的には、ストッパー８９０は、第１縦枠８３０及び第２縦枠８４０から加わる地震力（地震荷重）の分散を行う。
【００９２】
通常、ストッパー８９０は、第１縦枠８３０及び第２縦枠８４０から釣合い錘ガイドレール２４２に対して加わる地震力を分散させるために、第１縦枠８３０及び第２縦枠８４０のｚ軸方向略中央に設置される。
【００９３】
しかし、地震等による横揺れが生じた場合、地震の横揺れによって発生した釣合い錘の慣性力によって第１縦枠８３０又は第２縦枠８４０のストッパー８９０が設けられている部分に負担がかかり、第１縦枠８３０又は第２縦枠８４０が変形してしまう。
【００９４】
そして、ストッパー８９０が第１縦枠８３０及び第２縦枠８４０のｚ軸方向の中心付近に１箇所だけ設けられていても、地震の横揺れ等によって第１縦枠８３０及び第２縦枠は変形してしまう。
【００９５】
そこで、本発明に係る実施形態では、ストッパー８９０が第１縦枠８３０及び第２縦枠８４０に４箇所以上取り付けられている。具体的には、ストッパー８９０は、第１縦枠８３１に２箇所以上、第２縦枠８３２に２箇所以上取り付けられている。
【００９６】
ストッパー８９０は、ｘｙ平面視において、釣合い錘ガイドレール２４２の一部を覆うような構成である。
【００９７】
つまり、図５に示すように、ストッパー８９０は、ｘｙ平面視において、釣合い錘ガイドレール２４２のレール部２４２ａの形状の一部に沿うような形状になっている。
【００９８】
また、ストッパー８９０は、ｘｚ平面視では、略Ｌ字状の形状をしており、ボルト８９５によって第１縦枠８３０又は第２縦枠８４０に固定される。
【００９９】
このような形状により、地震の横揺れ等によってｙ軸方向に釣合い錘８００が揺れた場合であっても、複数のストッパー８９０によって地震力はさらに分散される。
【０１００】
そのため、第１縦枠８３０及び第２縦枠８４０が変形しないように太く（スケールアップ）しなくても、地震の横揺れ等によって第１縦枠８３０及び第２縦枠８４０は、変形し難い。
【０１０１】
したがって、結果的に、第１縦枠８３０及び第２縦枠８４０は従来に比べて小さくなり、錘枠は小さくなる。
【０１０２】
つまり、ｘｙ平面視での釣合い錘８００の専有面積を小さくすることができる。
【０１０３】
＜第１実施形態＞
本実施形態では、ストッパー８９０は、第１縦枠８３０に２箇所、第２縦枠８４０に２箇所設けられている。
【０１０４】
つまり、第１縦枠８３０には、ストッパー８９０である第１ストッパー８９１と、第２ストッパー８９２とが取り付けられる。
【０１０５】
第１ストッパー８９１は、第２ストッパー８９２よりｚ軸正方向側に配置される。
【０１０６】
同様に、第２縦枠８４０には、ストッパー８９０である第３ストッパー８９３と、第４ストッパー８９４とが取り付けられる。
【０１０７】
第３ストッパー８９３は、第４ストッパー８９４よりｚ軸正方向側に配置される。
【０１０８】
本実施形態では、第１ストッパー８９１は、第１縦枠８３０のｚ軸方向の全長の下から２／３の位置に取り付けられる。
【０１０９】
図５は、第４ストッパー８９４の平面図であるが、他のストッパー８９０（第１ストッパー８９１、第２ストッパー８９２、第３ストッパー８９３）も同様の構造である。
【０１１０】
また、第２ストッパー８９２は、第１縦枠８３０のｚ軸方向の全長の下から１／３の位置に取り付けられる。
【０１１１】
同様に、第３ストッパー８９３は、第２縦枠８４０のｚ軸方向の全長の下から２／３の位置に取り付けられる。
【０１１２】
また、第４ストッパー８９４は、第２縦枠８４０のｚ軸方向の全長の下から１／３の位置に取り付けられる。
【０１１３】
具体的には、図３に示すように、第１縦枠８３０及び第２縦枠８４０のｚ軸方向の全長Ｌを均等に３分割する位置にストッパー８９０が取り付けられている。
【０１１４】
つまり、第１縦枠８３０及び第２縦枠８４０の上端から第１分割位置Ｐ１までの距離をＬ１、第１分割位置Ｐ１から第２分割位置Ｐ２までの距離をＬ２、第２分割位置ｐ２から第１縦枠８３０及び第２縦枠８４０の下端までの距離をＬ３とした場合、Ｌ１とＬ２とＬ３の値が同じになる。
【０１１５】
そして、第１ストッパー８９１は、第１分割位置Ｐ１の位置に、第１縦枠８３０にボルト８９５によって取り付けられる。
【０１１６】
同様に、第３ストッパー８９３は、第１分割位置Ｐ１の位置に、第２縦枠８４０にボルト８９５によって取り付けられる。
【０１１７】
また、第２ストッパー８９２は、第２分割位置Ｐ２の位置に、第１縦枠８３０にボルト８９５によって取り付けられる。
【０１１８】
同様に、第４ストッパー８９４は、第２分割位置Ｐ２の位置に、第２縦枠８４０にボルト８９５によって取り付けられる。
【０１１９】
第１ストッパー８９１、第２ストッパー８９２、第３ストッパー８９３及び第４ストッパー８９４が設けられることにより、水平方向（ｘ軸方向又はｙ軸方向）に加わる力（例えば地震の横揺れの地震力）が、各ストッパー８９０の部分に分散する。
【０１２０】
＜第２実施形態＞
第２実施形態は、ストッパー８９０は、釣合い錘８００のｚ軸方向の重心を基準に、複数配置された場合である。なお、第１実施形態と同様の構成については、省略又は簡略して説明する場合がある。
【０１２１】
図６に示すように、第１重心位置Ｐ３は、釣合い錘８００の縦方向（ｚ軸方向）の全長Ｌの重心位置である。
【０１２２】
第２重心位置Ｐ４は、第１重心位置Ｐ３から第１縦枠８３０及び第２縦枠８４０の上端までの距離Ｌ３＋Ｌ４の重心位置である。
【０１２３】
第３重心位置Ｐ５は、第１重心位置Ｐ３から第１縦枠８３０及び第２縦枠８４０の下端までの距離Ｌ５＋Ｌ６の重心位置である。
【０１２４】
第１重心位置Ｐ３を基準とした第２重心位置Ｐ４及び第３重心位置Ｐ５にストッパー８９０が取り付けられる。
【０１２５】
具体的には、第１縦枠８３０の第２重心位置Ｐ４に、ストッパー８９０である第５ストッパー８９６が取り付けられる。
【０１２６】
また、第１縦枠８３０の第３重心位置Ｐ５に、ストッパー８９０である第６ストッパー８９７が取り付けられる。
【０１２７】
第２縦枠８４０の第２重心位置Ｐ４に、ストッパー８９０である第７ストッパー８９８が取り付けられる。
【０１２８】
第２縦枠８４０の第３重心位置Ｐ５に、ストッパー８９０である第８ストッパー８９９が取り付けられる。
【０１２９】
第５ストッパー８９６、第６ストッパー８９７、第７ストッパー８９８及び第８ストッパー８９９が設けられることにより、水平方向（ｘ軸方向又はｙ軸方向）に加わる力（例えば地震の横揺れの地震力）が、各ストッパー８９０の部分に分散する。
【０１３０】
本実施形態では、第１縦枠８３０及び第２縦枠８４０の耐震計算が４箇所で行われるため、第１縦枠８３０及び第２縦枠８４０のｘｙ平面視の大きさが抑えられる。
【０１３１】
本発明は、その趣旨を逸脱しない範囲で種々の改良、修正、又は変形を加えた態様でも実施できる。
【符号の説明】
【０１３２】
１００…エレベータ
２００…巻上機
２３０…かご
２４２…
３００…ガイドレール
４００…調速機
５００…テンションシーブ
６００…ガバナロープ
７００…オイルバッファ
８００…釣合い錘
８１０…上枠
８２０…下枠
８３０…第１縦枠
８４０…第２縦枠
８５０…ウエイト
８６０…釣合い錘シーブ
８７０…バッファー
８８０…ガイド装置
８９０…ストッパー
【図１】
2019131320.tif 000003
【図２】
2019131320.tif 000004
【図３】
2019131320.tif 000005
【図４】
2019131320.tif 000006
【図５】
2019131320.tif 000007
【図６】
2019131320.tif 000008